(57)【要約】【課題】  量産工程でＴＦＴ液晶表示装置に個別に発生するフリッカーを最適化するとともに作業工数を削減し、低コストで実施できるフリッカー調整機を提供する。【解決手段】  液晶表示装置１を駆動する駆動回路と、表示画像を撮像するＣＣＤカメラ３と、パラメータを設定するアルゴリズムを組込み、装置をコントロールするパソコン４によりフリッカー調整機を構成する。アルゴリズムにより、パラメータ設定ごとの撮像画像の輝度分散合計を比較し、２次近似法で輝度分散合計が最小となるパラメータの値を求める。【選択図】  図１
2011075716.tif 000002
【特許請求の範囲】
【請求項１】
液晶表示装置を駆動する表示駆動回路と、
前記液晶表示装置が表示した画像を撮像する撮像素子と、
前記画像を解析するとともに、内部に組込まれたアルゴリズムに従いパラメータを設定して前記表示駆動回路へ送信するパソコンと、を備え、
前記撮像とパラメータ設定を繰り返すことにより、パラメータの最適値を確定し前記液晶表示装置に個別に記録させるフリッカー調整機。
【請求項２】
前記アルゴリズムは、前記パラメータ設定毎の撮像画像の輝度分散の合計値を比較し、２次近似法で前記輝度分散の合計値が最小となる前記パラメータの最適値を求めることを特徴とする請求項１に記載のフリッカー調整機。
【請求項３】
前記液晶表示装置は、撮像範囲の画像と前記撮像範囲以外の画像とで異なる色の表示パターンを表示することを特徴とする請求項１または２に記載のフリッカー調整機。
【請求項４】
前記液晶表示装置の撮像範囲を任意に変更できることを特徴とする請求項１〜３のいずれか一項に記載のフリッカー調整機。
【請求項５】
前記撮像素子により撮像される画素のステップ数が任意に設定されることを特徴とする請求項１〜４のいずれか一項に記載のフリッカー調整機。
【請求項６】
液晶表示装置を表示駆動回路により駆動して画像を表示させるステップと、
前記画像を撮像素子により撮像するステップと、
前記撮像された画像をパソコンで解析し、前記パソコンに組込まれたアルゴリズムに従いパラメータを設定するパラメータ設定ステップと、
前記設定されたパラメータを前記表示駆動回路によって受信し、前記液晶表示装置へ送信するパラメータの受送ステップと、
前記各ステップを繰り返してパラメータの最適値を確定するパラメータ確定ステップと、
前記パラメータの最適値を前記液晶表示装置に記録するパラメータ記録ステップを備えることを特徴とするフリッカーの調整方法。
【発明の詳細な説明】
【技術分野】
【０００１】
本発明は、例えば携帯電話等に用いられる表示装置の表示品位の調整に関する。
【背景技術】
【０００２】
近年、液晶表示装置として駆動方式にＴＦＴを用いた液晶表示装置が広く利用されている。ＴＦＴ液晶表示装置では、適正駆動波形のばらつきが生じることがある。このような場合には、対向電極のＡＣ電圧がコモン電圧からずれることから表示面にフリッカー（ちらつき）が発生しやすくなる。このフリッカーは表示品位を低下させるので、ＴＦＴ液晶表示装置のフリッカーを目立たないように調整する必要がある。
【０００３】
フリッカーの調整方法として、コモン波形に寄与するパラメータを振り、カラーアナライザで都度測定したフリッカー値が最小に達するまでパラメータをシフトしてパラメータの最適値を求めることが知られている（例えば、特許文献１参照）。
【先行技術文献】
【特許文献】
【０００４】
【特許文献１】特開２００６−２１５５００号公報  （第１図）
【発明の概要】
【発明が解決しようとする課題】
【０００５】
従来、ＴＦＴ液晶表示装置のフリッカーの調整では、フリッカーを直接測定できるカラーアナライザなどの高価な測定装置が必要とされていた。このため、ＴＦＴ液晶表示装置の量産工程では、フリッカーの調整装置が多く必要とされ、設備投資による製造コストの増加が課題であった。また、従来の方法では、フリッカーが最小となるまで、パラメータを１点だけ変化させながら測定と調整を繰り返さなければならなかった。そのため、測定回数が多くなり作業工数の増加から調整時間がかかるなどの課題が生じていた。
【課題を解決するための手段】
【０００６】
フリッカー調整機を、液晶表示装置を駆動する表示駆動回路と、液晶表示装置が表示した画像を撮像する撮像素子と、画像を解析するとともに、表示駆動回路をコントロールするパソコンとによって構成する。さらに、パラメータ設定毎の撮像画像の輝度分散合計を比較し、２次近似法で輝度分散合計が最小になるようなパラメータの最適値を求めるアルゴリズムをパソコンに組み込み、このアルゴリズムに従いフリッカーを調整する。
【発明の効果】
【０００７】
本発明のフリッカー調整方法およびフリッカー調整機を用いることにより、従来に比べて生産設備にかかるコストを低減できる。また、フリッカーの調整に要する工数を低減させ作業効率を向上させることができる。
【図面の簡単な説明】
【０００８】
【図１】本発明のフリッカー調整機の構成図を示す。
【発明を実施するための形態】
【０００９】
本発明のフリッカー調整機は、液晶表示装置を駆動する表示駆動回路と、液晶表示装置が表示した画像を撮像する撮像素子と、画像を解析するとともに、表示駆動回路をコントロールする制御装置を備えている。このパソコンの内部にはアルゴリズムが組込まれており、このアルゴリズムに従い、フリッカーを最適化するパラメータが設定され表示駆動回路へ送信される。そして画像の撮像とパラメータ設定を繰り返すことにより、パラメータの最適値が確定され液晶表示装置に記録される。
【００１０】
ここで、フリッカー調整機に組み込まれるアルゴリズムは、パラメータ設定毎の撮像画像の輝度分散合計を比較し、２次近似法で輝度分散合計が最小になるパラメータの最適値を求める。
【００１１】
また、本発明のフリッカー調整方法は、液晶表示装置を駆動回路により駆動して画像を表示させ、この画像を撮像素子により撮像する。そして、撮像された画像をパソコンで解析し、パソコンに組込まれたアルゴリズムに従いパラメータを設定する。この設定されたパラメータは駆動回路によって受信され、液晶表示装置へ送信される。この撮像とパラメータの設定を繰り返してパラメータの最適値を確定する。そして確定したパラメータの最適値を液晶表示装置に記録する。
【００１２】
また、この調整方法には、パラメータ設定毎の撮像画像の輝度分散合計を比較し、２次近似法で輝度分散合計が最小になるパラメータの最適値を求めるアルゴリズムが適用される。
【実施例】
【００１３】
図１は、本実施例の液晶表示装置のフリッカー調整機の基本構成図である。図示するように、本実施例のフリッカー調整機は、液晶表示装置１と、液晶表示装置コントローラ２と、ＣＣＤカメラ３と、パソコン４を備えている。
【００１４】
液晶表示装置１は、ＴＦＴパネル、駆動用ドライバーＩＣ、および駆動電圧や波形生成用の抵抗やコンデンサなどＴＦＴ駆動に最低必要な回路素子を有する。さらに、液晶表示装置１は、フリッカーを調整するための最適なパラメータ値を個別に記録できる機能を持っている。液晶表示装置コントローラ２は、フリッカー調整の対象となる液晶表示装置１を駆動して調整用の画像を表示させたり、フリッカー調整用のパラメータを送受したりする。また、ＣＣＤカメラ３は、液晶表示装置１が表示する画像を撮像する撮像素子を備える。パソコン４は、撮像した画像を取り込み解析処理や液晶表示装置の駆動回路をコントロールする機能を有する。また、パソコン４には、フリッカー調整にかかる工数の低減を図るとともにフリッカーを最適化するためのパラメータを決定するアルゴリズムが組込まれている。
【００１５】
液晶表示装置１は液晶表示装置コントローラ２によって調整用の画像を表示する。液晶表示装置１の画像データは、ＣＣＤカメラ３によって取り込まれる。この画像データがパソコン４によって処理されると、パソコン４に組み込まれたアルゴリズムに従いフリッカー調整用のパラメータが決定される。このパラメータは液晶表示装置コントローラ２によって受信され、液晶表示装置コントローラ２から液晶表示装置１に送信される。そして、フリッカーが最適な状態となるパラメータが確定するまで、パソコン４に組み込まれたアルゴリズムに従い、液晶表示装置１の撮像、パソコンでのパラメータの設定、液晶表示装置コントローラ２からのパラメータ送信が繰り返される。パラメータが確定すると、液晶表示装置１に設けられたパラメータ記憶保持領域にデータが書き込まれる。この記憶領域に保持されたデータは、液晶表示装置１が表示される度に呼び出されるため、液晶表示装置１は最適なフリッカーの状態を維持することができる。
【００１６】
次に、パソコン４に組込まれたアルゴリズムについて説明する。一般に、フリッカーが発生する主要因として、液晶表示装置をライン反転駆動した際にライン毎に生じる駆動電位差があげられる。そのため、液晶表示装置の全ての表示エリアにおけるライン毎の輝度分散を求めて、これらの輝度分散の合計値が最小となるようにフリッカーのパラメータを最適値に設定するとフリッカーが低減する。すなわち、液晶表示装置では、ラインごとに測定された輝度の分散合計が最小となる場合は、フリッカーが発生しない。そのため、輝度分散合計が最小となるパラメータの最適値を正確に早く導きだすことが望ましい。そこで、本実施例のフリッカー調整機は、フリッカーの最適化に必要なパラメータ値を求め、フリッカーの調整に要する工数を低減させる以下のアルゴリズムを適用する。
【００１７】
本実施例の調整方法では、個々に順次、液晶表示装置のフリッカーが調整されていく。そのため、調整対象となる液晶表示装置の１つ前に調整された液晶表示装置の調整値を、フリッカーのパラメータの初期値として用いることができる。また、システム立上げ初期値は、対象とする液晶表示装置で定義した固定値から始める。フリッカーのパラメータを任意のステップ毎に３点分測定し、その時の輝度分散合計を各々、Ｋ（ＦＰ−１)、Ｋ（ＦＰ）、Ｋ（ＦＰ＋１）とする。なお、ラインごとの輝度分散は、液晶表示装置の全表示エリアを測定対象として走査(スキャン)して求めることができる。Ｋ（ＦＰ−１)、Ｋ（ＦＰ）、Ｋ（ＦＰ＋１）は、それぞれ輝度分散の合計値を示す関数をあらわし、括弧内の値はフリッカーのパラメータ関数を示す。なお、測定開始時には初期値を暫定的に基準値であるＦＰ値とする。ＦＰ−１は基準値から所定のステップ数をマイナスした時のパラメータ関数値とし、ＦＰ＋１は基準値に所定のステップ数をプラスした時のパラメータ関数値とする。
【００１８】
Ｋ（ＦＰ−１）＞Ｋ（ＦＰ）＞Ｋ（ＦＰ＋１）の場合は、既に測定済みのＫ（ＦＰ）をＫ（ＦＰ−１）へ、Ｋ（ＦＰ＋１）をＫ（ＦＰ）へ置き換える。そして、次の測定でフリッカーの調整値をプラス方向へステップ移動し、パラメータ関数値をＦＰ＋１として、Ｋ（ＦＰ＋１）を新たに測定する。
【００１９】
Ｋ（ＦＰ−１）＜Ｋ（ＦＰ）＜Ｋ（ＦＰ＋１）の場合は、既に測定済みのＫ（ＦＰ）をＫ（ＦＰ＋１）へ、Ｋ（ＦＰ−１）をＫ（ＦＰ）へ置き換える。そして、次の測定でフリッカーの調整値をマイナス方向にステップ移動し、パラメータ関数値をＦＰ−１として、Ｋ（ＦＰ−１）を新たに測定する。
【００２０】
このようにして、輝度分散合計Ｋ（ＦＰ−１)＞Ｋ（ＦＰ)、かつ、Ｋ（ＦＰ＋１)＞Ｋ（ＦＰ）となる状態までフリッカーの調整とパラメータの測定を行い、２次近似法にて最小に近いパラメータの値を求める。これによりパラメータの測定点数とフリッカーの調整回数を低減させることができる。
【００２１】
また、フリッカー調整作業時に、液晶表示装置１の撮像範囲の表示エリアで、表示画像を同一な灰色の表示パターンにすると、表示画素全面の輝度分散を顕著に捉えることができる。このとき、撮像範囲外の表示エリアでは、表示画像を黒（ノーマリーブラック）とする。このように設定することで、全表示エリアにかかる電流負荷量を一定にし、フリッカー相関が悪化するのを防ぐことができる。なお、表示エリアの黒と灰色のバランスについては、基準器によるフリッカー率の相関が高いものにするとよい。
【００２２】
また、フリッカーはライン反転毎のライン電位差に起因して発生するため、フリッカーが発生する方向では全エリアで表示を撮像する。一方、表示面に対してフリッカーが発生しない方向では画像処理エリアを低減する。これにより、処理回数が削減されるのでフリッカーの調整に要する時間を短縮することができる。
【００２３】
また、液晶表示装置１の処理対象とする撮像範囲を任意に変更できるようにしてもよい。撮像範囲を任意に変更することにより、製品ごとのＴＦＴサイズに個別に対応できるようになり、フリッカー調整機の使用対象範囲を広げることができる。
【００２４】
また、フリッカー調整機は、サンプリング画素のステップ数を任意に設定できるようにしてもよい。これにより、液晶表示装置１の一画素に対してＣＣＤカメラ３の割り当て画素数が製品によって異なる場合でも、測定精度を向上させることができる。
【産業上の利用可能性】
【００２５】
ＴＦＴ液晶表示装置のフリッカー調整工程に本構成の調整機を使用することで、フリッカーの無い高品質な製品提供を安価で実現できる。
【符号の説明】
【００２６】
１  液晶表示装置
２  液晶表示装置コントローラ
３  ＣＣＤカメラ
４  パソコン
【図１】
2011075716.tif 000003